(57)【要約】【課題】使用者の体型にかかわらず左右の肘掛部の間隔および肘掛部の長手方向の位置を最適に設定することで、使用者がリラックスした状態で、腕のマッサージを確実に実施することができるマッサージ椅子を提供する【解決手段】椅子１の側部に設けられ、マッサージ機能を有する一対の肘掛部２を備えたマッサージ椅子において、肘掛部２は、下側に椅子１より着脱可能に構成された取りつけ部３を設け、取りつけ部３の中心を、肘掛部２の長手方向および幅方向の中心から変位して配置し、少なくとも両肘掛部２の取換えまたは長手方向の向きの反転により、少なくとも肘掛部２の間隔または長手方向の位置を変更可能に構成した。【選択図】図８
2007167223.tif 000002
【特許請求の範囲】
【請求項１】
椅子の側部に設けられ、マッサージ機能を有する一対の肘掛部を備えたマッサージ椅子において、肘掛部は、下側に椅子より着脱可能に構成された取りつけ部を設け、取りつけ部の中心を、肘掛部の長手方向および幅方向の中心から変位して配置して、少なくとも両肘掛部の取換えまたは長手方向の向きの反転により、少なくとも肘掛部の間隔または長手方向の位置を変更可能になしたことを特徴とするマッサージ椅子。
【請求項２】
肘掛部は、上面の形状が長手方向および幅方向において、それぞれ対称の形状になしたことを特徴とする請求項１記載のマッサージ椅子。
【請求項３】
椅子の側部に凸形の支持部を設け、取りつけ部を凹形に形成して支持部に嵌合することにより、肘掛部を椅子に着脱可能になしたことを特徴とする請求項１または２記載のマッサージ椅子。
【請求項４】
肘掛部のマッサージ機能を、空気により膨縮する空気袋により構成し、空気袋に空気を供給する供給管を備え、支持部に内蔵された供給管と肘掛部に内蔵された供給管との接続を、支持部および取りつけ部の中心部に配置されたコネクタにより、着脱可能になしたことを特徴とする請求項３記載のマッサージ椅子。
【発明の詳細な説明】
【技術分野】
【０００１】
本願発明は、使用者の腕のマッサージを行うことができる、マッサージ椅子に関するものである。
【背景技術】
【０００２】
マッサージ椅子においては、背もたれ部と一対の肘掛部とを有しており、このうち肘掛部には、使用者の腕をマッサージするマッサージ機能を備えていて、使用者が椅子に着座した状態で肘掛部に腕を置くと、肘掛部のマッサージ機能により使用者の腕をマッサージすることができる。
【０００３】
上記の構成において、肘掛部の下部にガイドレールを備えており、肘掛部をガイドレールに沿って移動させて、肘掛部の長手方向の位置を使用者に合わせて変更することにより、使用者が自然な姿勢においてリラックスした状態で、マッサージを行うことができるマッサージ椅子が提案されている（特許文献１）。
【特許文献１】特開２００３−３１０６８３号公報
【発明の開示】
【発明が解決しようとする課題】
【０００４】
しかしながら、前記背景技術の特許文献１に記載のマッサージ椅子においては、肘掛部を移動させるために上記ガイドレールや、肘掛部をガイドレールに取りつけるための継手等が必要になるために、マッサージ椅子の重量が増加したり、コストが高くなっていた。
【０００５】
また、肘掛部の間隔は常時一定であるために、例えば小柄な体型の使用者にとって肘掛部の間隔が広い場合は、腕を肘掛部に置いたときに安定せず、リラックスした状態でマッサージ椅子を使用することが困難になる場合があり、また、肘掛部に置いた腕が安定しないことから、腕のマッサージを確実に実施することができないことがあった。
【０００６】
本願発明はこのような上記背景技術の課題を解決するものであり、軽量かつ低コストで、さらに肘掛部の長手方向の位置だけでなく、間隔も変更可能とすることで、使用者の体型にかかわらず肘掛部の間隔を適切に設定して、使用者がリラックスした状態で腕のマッサージを確実に実施できる、マッサージ椅子を提供することを目的とする。
【課題を解決するための手段】
【０００７】
上記課題を解決するために、本願請求項１記載の発明は、椅子の側部に設けられ、マッサージ機能を有する一対の肘掛部を備えたマッサージ椅子において、肘掛部は、下側に椅子より着脱可能に構成された取りつけ部を設け、取りつけ部の中心を、肘掛部の長手方向および幅方向の中心から変位して配置して、少なくとも両肘掛部の取換えまたは長手方向の向きの反転により、少なくとも肘掛部の間隔または長手方向の位置を変更可能に構成されている。
【０００８】
本願請求項２記載の発明は、上記請求項1記載のマッサージ椅子において、肘掛部は、上面の形状が長手方向および幅方向において、それぞれ対称の形状になしたことを特徴としている。
【０００９】
本願請求項３記載の発明は、上記請求項1または２記載のマッサージ椅子において、椅子の側部に凸形の支持部を設け、取りつけ部を凹形に形成して支持部に嵌合することにより、肘掛部を椅子に着脱可能になしたことを特徴としている。
【００１０】
本願請求項４記載の発明は、上記請求項３記載のマッサージ椅子において、肘掛部のマッサージ機能を、空気により膨縮する空気袋により構成し、空気袋に空気を供給する供給管を備え、支持部に内蔵された供給管と肘掛部に内蔵された供給管との接続を、支持部および取りつけ部の中心部に配置されたコネクタにより、着脱可能になしたことを特徴としている。
【発明の効果】
【００１１】
本願請求項１記載の発明のマッサージ椅子においては、肘掛部を着脱可能とし、かつ肘掛部の取りつけ部の中心を、肘掛部の長手方向および幅方向の中心から変位して配置することで、両肘掛部を取り換えて着脱したり、また肘掛部の長手方向の向きを反転して着脱したり、さらに上記を組み合わせることにより、肘掛部の長手方向の位置だけでなく、間隔も変更することができるために、使用者の体型にかかわらず肘掛部の間隔を適切に設定して、使用者がリラックスした状態で腕のマッサージを確実に実施できる、マッサージ椅子を提供できる。
【００１２】
本願請求項２記載の発明のマッサージ椅子においては、特に、両肘掛部を取り換えて着脱したり、また肘掛部の長手方向の向きを反転して着脱した場合でも、使用者側から見て、肘掛部の上面の形状を常時同じとすることができるため、肘掛部の着脱状況によることなく、使用者の腕を常時安定して肘掛部に置くことができるため、腕のマッサージをさらに確実に実施することができる。
【００１３】
本願請求項３記載の発明のマッサージ椅子においては、特に、簡単な構造で、肘掛部を椅子に確実に着脱可能とすることができる。
【００１４】
本願請求項４記載の発明のマッサージ椅子においては、特に、簡単な構造で、支持部に内蔵された空気の供給管と、肘掛部に内蔵された空気の供給管との着脱を確実に行うことができるとともに、コネクタを支持部および取りつけ部の中心部に配置することで、肘掛部の長手方向の向きを反転して着脱した場合でも、上記供給管の着脱を確実に行うことができる。
【発明を実施するための最良の形態】
【００１５】
図１から７は、本願発明の実施形態であるマッサージ椅子を示している。このマッサージ椅子は図１から７に示すように、椅子１の側部に設けられ、マッサージ機能を有する一対の肘掛部２を備えたマッサージ椅子において、肘掛部２は、下側に椅子１より着脱可能に構成された取りつけ部３を設け、取りつけ部３の中心を、肘掛部２の長手方向および幅方向の中心から変位して配置して、少なくとも両肘掛部２の取換えまたは長手方向の向きの反転により、少なくとも肘掛部２の間隔または長手方向の位置を変更可能に構成されている。
【００１６】
次に、肘掛部２は、上面の形状が長手方向および幅方向において、それぞれ対称の形状に構成されている。
【００１７】
また、椅子１の側部に凸形の支持部４を設け、取りつけ部３を凹形に形成して支持部４に嵌合することにより、肘掛部２を椅子１に着脱可能としている。
【００１８】
さらに、肘掛部２のマッサージ機能を、空気により膨縮する空気袋５により構成し、空気袋５に空気を供給する供給管６を備え、支持部４に内蔵された供給管６と肘掛部２に内蔵された供給管６との接続を、支持部４および取りつけ部３の中心に配置されたコネクタ７により、着脱可能としている。
【００１９】
以下、この実施形態のマッサージ椅子をより具体的詳細に説明する。図１に示すように椅子１があり、その椅子１は、椅子１の後部に設けられて使用者の背部を支持する背もたれ部８と、椅子１の前部に設けられて使用者が着座する座部９とから構成されている。
【００２０】
座部９の前部には、使用者が椅子１に着座したときに脚を乗せる脚乗せ部１０が設けられており、座部９の両側部には、カバー１１が配置されている。
【００２１】
また、カバー１１の上方には使用者の腕を置くための肘掛部２が設けられていて、その肘掛部２は、カバー１１の上部に設けられた支持部４により支持されている。肘掛部２の上面には、供給された空気により膨縮する空気袋５が設けられており、この空気袋５の膨縮により、使用者の腕に対してマッサージを行っている。
【００２２】
空気袋５は、中央部が肘掛部２の長手方向に沿って凹形に形成されていて、使用者はその凹形部分に腕を入れることにより、空気袋５が腕の左右から膨縮によるマッサージを行うことができる。また、肘掛部２および空気袋５ともに、上面の形状が肘掛部２の長手方向および幅方向において、それぞれ対称の形状に構成されている。
【００２３】
次に、図２、３に示すように、カバー１１の上側には直方体形状の支持部４が設けられていて、その支持部４の上面および側面の端部は円形状に形成されている。カバー１１および支持部４には、空気の供給管６が内蔵されており、支持部４の上面の中央には供給管６が接続されたコネクタ７が設けられている。また、支持部４の長手方向の側部には、支持部４に取り付けられた肘掛部２を固定するためのネジ穴１２が形成されている。
【００２４】
一方、図４、５に示すように、肘掛部２の下側には、凹形かつ有底の形状により構成され、支持部４の上部が嵌合することにより、肘掛部２を支持部４に取りつけるための取りつけ部３が設けられている。ここで取りつけ部３は、取りつけ部３の中心１３が肘掛部２の中心１４より変位して配置されている。
【００２５】
取りつけ部３の底部の中央には、肘掛部２に内蔵され、肘掛部２の上面に設けられた空気袋５に空気を供給する供給管６が接続されたコネクタ７が設けられていて、そのコネクタ７は先端部が中空の凸形に形成されており、コネクタ７の先端部が支持部４のコネクタ７と嵌合することにより接続されることで、支持部４側の供給管６と着脱可能に接続されるよう構成されている。
【００２６】
また、取りつけ部３の長手方向の両端部の外側には、肘掛部２を支持部４に固定するためのナット１５が取りつけられる取りつけ穴１６が設けられている。
【００２７】
上記肘掛部２および支持部４の構成により、図６に示すように肘掛部２の取りつけ部３が、カバー１１の上部に設けられた支持部４と嵌合することで支持部４に取りつけられ、ナット１５が、取りつけ部３に設けられたナット１５の取りつけ穴１６に挿入され、支持部４の側部に設けられたネジ穴１２（図６においては図示せず）に螺合されることで、肘掛部２を支持部４に固定している。
【００２８】
さらに、カバー１１および支持部４に内蔵された空気の供給管６と、肘掛部２に内蔵され、肘掛部２の上面に設けられた空気袋５に空気を供給する供給管６とは、取りつけ部３の底部の中央、および支持部４の上面の中央にそれぞれ配置されたコネクタ７が接続されることにより着脱可能に接続されている。
【００２９】
ここでコネクタ７は、図７に示すように、肘掛部２に設けられた取りつけ部３側のコネクタ７の先端部が凸形に形成されており、取りつけ部３が嵌合する支持部４側のコネクタ７の先端部は凹形に形成されていて、凸形に形成されたコネクタ７の先端部が、凹形に形成されたコネクタ７の先端に挿入されることにより両コネクタ７が接続されている。
【００３０】
凸形に形成されたコネクタ７の先端部の側部にはＯリング１７が設けられていて、両コネクタ７を気密に接続して空気漏れを防止するようにしている。
【００３１】
以上の構成において、本願発明の実施形態におけるマッサージ椅子の動作を図１から８を用いて説明する。
【００３２】
まず、例えば使用者の体型が小さいために肘掛部２の間隔を狭くしたい場合は、肘掛部２を支持部４に固定しているナット１５を取りつけ穴１６より抜き取り、肘掛部２を支持部４より取り外す。
【００３３】
ここで、図８に示すように、椅子１に向かって右側の肘掛部２ａの取りつけ部３ａを左側の支持部４ｂに嵌合して取りつけるとともに、椅子１に向かって左側の肘掛部２ｂの取りつけ部３ｂを右側の支持部４ａに嵌合して取りつける。つまり、左右の肘掛部２ａと２ｂとを互いに取り換えた上で、支持部４ａおよび４ｂにそれぞれ取り付けを行う。
【００３４】
このとき、取りつけ部３ａおよび３ｂの中心１３は、それぞれ肘掛部２ａおよび２ｂの中心１４から、椅子１の前方側および内側に変位して配置されているために、左右の肘掛部２ａと２ｂとを互いに取り換えた上で、支持部４ａおよび４ｂに取り付けることで、左右の肘掛部２ａと２ｂとの間隔を狭く変更することができる。ただしこの場合、左右の肘掛部２ａおよび２ｂにおいて、前後方向の位置は変化しない。
【００３５】
肘掛部２を取りつけた後は、ナット１５を取りつけ穴１６に挿入し、ネジ穴１２に螺合することで、肘掛部２が支持部４に固定される。上記のように、簡単な構造にて肘掛部２の着脱を確実かつ容易に行うことができ、さらに使用者が肘掛部２の間隔を元に戻したいときは、上記と逆の操作を行うことで、肘掛部２の間隔を元に戻すことができる。
【００３６】
また、肘掛部２を取り換えた後で取りつけを行う際に、空気の供給管６のコネクタ７は、それぞれ取りつけ部３の底面の中央、および支持部４の上面の中央に設けられているために、肘掛部２を取り換えた後も支持部４に取りつけることができるとともに、取りつけ部３側のコネクタ７の先端部に設けられたＯリング１７により、支持部４側のコネクタ７と気密に接続することができるため、コネクタ７を接続した後に空気漏れが発生することはない。
【００３７】
そして使用者は、肘掛部２の間隔を変更した椅子１の座部９に着座し、脚乗せ部１０に脚部を乗せ、肘掛部２に腕を置くとともに、肘掛部２の上面に設けられ長手方向が凹形に形成された空気袋５に腕を入れる。
【００３８】
使用者が操作部（図示せず）のスイッチを入れると、マッサージ椅子の運転が開始され、供給管６より空気袋５に空気が供給されて、空気袋５が膨縮することにより、使用者の腕にマッサージが実施される。このとき、肘掛部２の間隔が使用者の体型に合った間隔に変更されているために、使用者が常時リラックスした状態で腕のマッサージを確実に実施することができる。
【００３９】
所定時間の経過後、または使用者が操作部のスイッチを切ると、空気供給部１４からの圧縮空気の供給が停止されて、マッサージ椅子の運転が終了する。
【００４０】
以上のように本願発明の実施形態によれば、両肘掛部２を互いに取り換えることにより、肘掛部２の間隔を、使用者の体型に合った間隔に変更することができるために、使用者が常時リラックスした状態で腕のマッサージを実施することができる。
【００４１】
また、肘掛部２および空気袋５の上面の形状を、それぞれ長手方向および幅方向ともに対称の形状に構成しているため、肘掛部２を取り換えた後も、肘掛部２および空気袋５の形状が変わらないために、使用者の腕を常時安定して肘掛部２に置くことができるため、腕のマッサージを常時確実に実施することができる。
【００４２】
さらに、カバー１１の上部に設けられた支持部４に肘掛部２の取りつけ部３を嵌合することで、簡単な構造により、肘掛部２を着脱可能に構成することができる。また、ナット１５を用いることで、肘掛部２を支持部４に確実に固定することができる。
【００４３】
そして、上記取りつけ部３の底面の中央および支持部４の上面の中央に、空気の供給管６のコネクタ７をそれぞれ設けて、取りつけ部３側のコネクタ７の先端部を支持部４側のコネクタ７に挿入して接続することにより、上記供給管６を容易に接続することができる。
【００４４】
また、肘掛部２を取り換える際は、支持部４側のコネクタ７より取りつけ部３側のコネクタ７を引き抜けばよく、供給管６を容易に取り外すことができるとともに、肘掛部２を取り換えた後も、上記と同様に両コネクタ７を接続することで、供給管６も容易に接続することができる。このとき、取りつけ部３側のコネクタ７の先端部に設けられたＯリング１７により、両コネクタ７を気密に接続できるため、空気漏れ等が発生することはない。
【００４５】
次に、使用者が肘掛部２の長手方向の位置を変更したい場合は、同様に、肘掛部２を支持部４に固定しているナット１５を取りつけ穴１６より抜き取り、肘掛部２を支持部４より取り外す。
【００４６】
ここで、図９に示すように、椅子１に向かって右側の肘掛部２ａの取りつけ部３ａを、長手方向の向きを反転させた上で、左側の支持部４ｂに嵌合して取りつけるとともに、椅子１に向かって左側の肘掛部２ｂの取りつけ部３ｂを、同様に長手方向の向きを反転させた上で、右側の支持部４ａに嵌合して取りつける。
【００４７】
つまり、左右の肘掛部２ａと２ｂとを互いに取り換え、さらにそれぞれの肘掛部２ａおよび２ｂの長手方向の向きを反転させた上で、支持部４ａおよび４ｂにそれぞれ取り付けを行う。
【００４８】
このとき、取りつけ部３ａおよび３ｂの中心１３は、それぞれ肘掛部２ａおよび２ｂの中心１４から、椅子１の前方側および内側に変位して配置されているために、左右の肘掛部２ａと２ｂとを互いに取り換え、さらにそれぞれの肘掛部２ａおよび２ｂの長手方向の向きを反転させた上で、支持部４ａおよび４ｂに取り付けることで、上記肘掛部２ａおよび２ｂの長手方向の位置を、椅子１の前方に変更することができる。
【００４９】
肘掛部２を取りつけた後は、ナット１５を取りつけ穴１６に挿入し、ネジ穴１２に螺合することで、肘掛部２が支持部４に固定される。上記のように、簡単な構造にて肘掛部２の着脱を確実かつ容易に行うことができ、さらに使用者が肘掛部２の長手方向の位置を元に戻したいときは、上記と逆の操作を行うことで、肘掛部２の長手方向の位置を元に戻すことができる。
【００５０】
また、肘掛部２を取り換え、さらに長手方向の向きを反転させた後で取りつけを行う際に、空気の供給管６のコネクタ７は、それぞれ取りつけ部３の底面の中央、および支持部４の上面の中央に設けられているために、肘掛部２を取り換えた後も支持部４に取りつけることができるとともに、取りつけ部３側のコネクタ７の先端部に設けられたＯリング１７により、支持部４側のコネクタ７と気密に接続することができるため、コネクタ７を接続した後に空気漏れが発生することはない。
【００５１】
そして使用者は、肘掛部２の長手方向の位置を変更した椅子１の座部９に着座し、脚乗せ部１０に脚部を乗せ、肘掛部２に腕を置くとともに、肘掛部２の上面に設けられ長手方向が凹形に形成された空気袋５に腕を入れる。
【００５２】
使用者が操作部（図示せず）のスイッチを入れると、マッサージ椅子の運転が開始され、供給管６より空気袋５に空気が供給されて、空気袋５が膨縮することにより、使用者の腕にマッサージが実施される。このとき、肘掛部２の長手方向の位置が、使用者の体型に合った位置に変更されているために、使用者が常時リラックスした状態で腕のマッサージを確実に実施することができる。
【００５３】
所定時間の経過後、または使用者が操作部のスイッチを切ると、空気供給部１４からの圧縮空気の供給が停止されて、マッサージ椅子の運転が終了する。
【００５４】
したがって、両肘掛部２を互いに取り換えた上で、さらに長手方向の向きを反転させて支持部４に取りつけることにより、肘掛部２の長手方向の位置を、使用者の体型に合った位置に変更することができるために、使用者が常時リラックスした状態で腕のマッサージを実施することができる。
【００５５】
さらに、使用者が肘掛部２の間隔を狭くするとともに長手方向の位置を変更したい場合は、同様に、肘掛部２を支持部４に固定しているナット１５を取りつけ穴１６より抜き取り、肘掛部２を支持部４より取り外す。
【００５６】
ここで、図９に示すように、椅子１に向かって右側の肘掛部２ａの取りつけ部３ａを、長手方向の向きを反転させて、右側の支持部４ａに再度嵌合して取りつけるとともに、椅子１に向かって左側の肘掛部２ｂの取りつけ部３ｂを、同様に長手方向の向きを反転させて、左側の支持部４ｂに嵌合して取りつける。
【００５７】
つまり、左右の肘掛部２ａと２ｂとを互いに取り換えることなく、それぞれの肘掛部２ａおよび２ｂの長手方向の向きを反転させたのみで、もとの支持部４ａおよび４ｂにそれぞれ取り付けを行う。
【００５８】
このとき、取りつけ部３ａおよび３ｂの中心１３は、それぞれ肘掛部２ａおよび２ｂの中心１４から、椅子１の前方側および内側に変位して配置されているために、上記肘掛部２ａおよび２ｂの長手方向の向きを反転させて、支持部４ａおよび４ｂにそれぞれ取り付けることで、上記肘掛部２ａおよび２ｂの間隔を狭く変更するとともに、長手方向の位置を椅子１の前方に変更することができる。
【００５９】
肘掛部２を取りつけた後は、ナット１５を取りつけ穴１６に挿入し、ネジ穴１２に螺合することで、肘掛部２が支持部４に固定される。上記のように、簡単な構造にて肘掛部２の着脱を確実かつ容易に行うことができ、さらに使用者が肘掛部２の間隔および長手方向の位置を元に戻したいときは、上記と逆の操作を行うことで、肘掛部２の間隔および長手方向の位置を元に戻すことができる。
【００６０】
また、肘掛部２の長手方向の向きを反転させた後で取りつけを行う際に、空気の供給管６のコネクタ７は、それぞれ取りつけ部３の底面の中央、および支持部４の上面の中央に設けられているために、肘掛部２を取り換えた後も支持部４に取りつけることができるとともに、取りつけ部３側のコネクタ７の先端部に設けられたＯリング１７により、支持部４側のコネクタ７と気密に接続することができるため、コネクタ７を接続した後に空気漏れが発生することはない。
【００６１】
そして使用者は、肘掛部２の間隔および長手方向の位置を変更した椅子１の座部９に着座し、脚乗せ部１０に脚部を乗せ、肘掛部２に腕を置くとともに、肘掛部２の上面に設けられ長手方向が凹形に形成された空気袋５に腕を入れる。
【００６２】
使用者が操作部（図示せず）のスイッチを入れると、マッサージ椅子の運転が開始され、供給管６より空気袋５に空気が供給されて、空気袋５が膨縮することにより、使用者の腕にマッサージが実施される。このとき、肘掛部２の間隔および長手方向の位置が、使用者の体型に合った位置に変更されているために、使用者が常時リラックスした状態で腕のマッサージを確実に実施することができる。
【００６３】
所定時間の経過後、または使用者が操作部のスイッチを切ると、空気供給部１４からの圧縮空気の供給が停止されて、マッサージ椅子の運転が終了する。
【００６４】
したがって、両肘掛部２の長手方向の向きを反転させて支持部４に取りつけることにより、肘掛部２の間隔および長手方向の位置を、使用者の体型に合った位置に変更することができるために、使用者が常時リラックスした状態で腕のマッサージを実施することができる。
【００６５】
なお、上記本願発明の実施形態においては、空気袋５を肘掛部２の上面にのみ設けているが、例えば背もたれ部８および座部９に内臓して設けたり、さらには脚乗せ部１０に設けてもよい。
【００６６】
また、肘掛部２の取りつけ部３の中心１３が、肘掛部２の中心１４から変位して配置されていることについて、その変位の距離については特に示していないが、肘掛部２の上面から見た場合、椅子１の内側方向への変位距離は、１０ｍｍから２５ｍｍ程度、好ましくは１５ｍｍから２０ｍｍ程度とすることが望ましい。
【００６７】
さらに椅子１の前方側への変位の距離は、３０ｍｍから６０ｍｍ、好ましくは４０ｍｍから５０ｍｍ程度とすることが望ましい。
【００６８】
上記それぞれの変位の距離を設けることで、肘掛部２の間隔を４０ｍｍから１００ｍｍ程度、好ましくは６０ｍｍから８０ｍｍ程度狭く変更することができるとともに、肘掛部２の長手方向の位置については、６０ｍｍから１２０ｍｍ程度、好ましくは８０ｍｍから１００ｍｍ程度、椅子１の前方側へ変更することができる。
【００６９】
そして、背もたれ部８にリクライニング機能を設けることで、使用者がさらにリラックスした状態で、マッサージを実施することができる。
【図面の簡単な説明】
【００７０】
【図１】本願発明の第１の実施形態であるマッサージ椅子の斜視図。
【図２】同マッサージ椅子の支持部およびカバーの斜視図。
【図３】同マッサージ椅子の支持部の上面拡大図。
【図４】同マッサージ椅子の肘掛部の下側の斜視図。
【図５】同マッサージ椅子の肘掛部の下側の平面図。
【図６】同マッサージ椅子の肘掛部を支持部に取りつけた状態を示す斜視図。
【図７】同マッサージ椅子の供給管のコネクタの拡大断面図。
【図８】（ａ）同マッサージ椅子の両肘掛部を取り外す前の平面図。（ｂ）同マッサージ椅子の両肘掛部を互いに取り換えた状態を示す平面図。
【図９】（ａ）同マッサージ椅子の両肘掛部を取り外す前の平面図。（ｂ）同マッサージ椅子の両肘掛部を互いに取り換え、かつ肘掛部の長手方向の向きを反転させた状態を示す平面図。
【図１０】（ａ）同マッサージ椅子の両肘掛部を取り外す前の平面図。（ｂ）同マッサージ椅子の両肘掛部の長手方向の向きを反転させた状態を示す平面図。
【符号の説明】
【００７１】
１  椅子
２  肘掛部
３  取りつけ部
４  支持部
５  空気袋
６  供給管
７  コネクタ
【図１】
2007167223.tif 000003
【図２】
2007167223.tif 000004
【図３】
2007167223.tif 000005
【図４】
2007167223.tif 000006
【図５】
2007167223.tif 000007
【図６】
2007167223.tif 000008
【図７】
2007167223.tif 000009
【図８】
2007167223.tif 000010
【図９】
2007167223.tif 000011
【図１０】
2007167223.tif 000012